(57)【特許請求の範囲】
【請求項１】
通帳の挿入を受け付ける挿入部と、
挿入された通帳が有する磁気ストライプの磁気レベルを検出する検出部と、
第１磁気ストライプを有する第１通帳と、前記第１磁気ストライプよりも保磁力の高い第２磁気ストライプを有する第２通帳とを発行する発行部と、
前記検出部で閾値未満の磁気レベルが検出されたとき、前記発行部に前記第２通帳を発行させる制御をする制御部と、
を備えることを特徴とする自動取引装置。  
【請求項２】
前記自動取引装置は、さらに、
前記挿入された通帳が有する磁気ストライプに記憶された情報を読み取る読書部を備え、
前記挿入された通帳が有する磁気ストライプは、
前記検出部で閾値未満の磁気レベルが検出された検出回数を記憶し、
前記制御部は、
前記検出部で閾値未満の磁気レベルが検出されたとき、前記発行部に前記第２通帳を発行させる処理に代えて、前記挿入された通帳が有する磁気ストライプに記憶された検出回数をインクリメントし、
前記読書部で読み取られた検出回数が閾値回数以上のとき、前記発行部に前記第２通帳を発行させる制御をする
ことを特徴とする請求項１に記載の自動取引装置。
【請求項３】
前記自動取引装置は、さらに、
前記検出部で閾値未満の磁気レベルが検出された検出回数を、要求に応じて通帳ごとに関連付けて記憶するホストと通信する通信部を備え、
前記制御部は、
前記検出部で閾値未満の磁気レベルが検出されたとき、前記挿入された通帳に対応する検出回数をインクリメントする要求をホストに送信し、
前記挿入された通帳に対応する検出回数が閾値回数以上のとき、前記ホストから送信される前記第２通帳の発行許可通知を受信すると、前記発行部に前記第２通帳を発行させる制御をする
ことを特徴とする請求項１に記載の自動取引装置。
【請求項４】
前記制御部は、さらに、
通帳繰越処理において、前記検出部で閾値以上の磁気レベルが検出されたとき、前記発行部に前記第１通帳を発行させる制御をする
ことを特徴とする請求項１に記載の自動取引装置。
【請求項５】
前記制御部は、さらに、
通帳繰越処理において、前記読書部で読み取られた検出回数が閾値回数未満のとき、前記発行部に前記第１通帳を発行させる制御をする
ことを特徴とする請求項２に記載の自動取引装置。
【請求項６】
前記制御部は、さらに、
通帳繰越処理において、前記挿入された通帳に対応する検出回数が閾値回数未満のとき、前記ホストから送信される前記第２通帳の発行なし通知を受信すると、前記発行部に前記第１通帳を発行させる制御をする
ことを特徴とする請求項３に記載の自動取引装置。
【請求項７】
自動取引装置の自動取引方法において、
挿入部で通帳の挿入を受け付け、
前記挿入された通帳が有する磁気ストライプの磁気レベルを検出部で検出し、
前記検出する処理において、閾値未満の磁気レベルが検出されたとき、第１磁気ストライプを有する第１通帳と、前記第１磁気ストライプよりも保磁力の高い第２磁気ストライプを有する第２通帳とを発行する発行部で、前記第２通帳を発行する
ことを実行する自動取引方法。
【請求項８】
前記検出する処理において、閾値未満の磁気レベルが検出されたとき、前記第２通帳を発行する処理に代えて、前記挿入された通帳が有する磁気ストライプに記憶された閾値未満の磁気レベルが検出された検出回数をインクリメントし、
前記挿入された通帳が有する磁気ストライプに記憶された前記検出回数を読書部で読み取り、
前記読み取り処理において読み取った前記検出回数が閾値回数以上のとき、前記発行部で前記第２通帳を発行する
ことを実行する請求項７に記載の自動取引方法。
【請求項９】
前記検出する処理において、閾値未満の磁気レベルが検出されたとき、前記第２通帳を発行する処理に代えて、前記挿入された通帳に対応する検出回数をインクリメントする要求を、前記検出回数を要求に応じて通帳ごとに関連付けて記憶するホストに送信し、
前記ホストから前記挿入された通帳に対応する検出回数が閾値回数以上である通知を受信すると、前記発行部で前記第２通帳を発行する
ことを実行する請求項７に記載の自動取引方法。
【請求項１０】
自動取引装置は、
通帳の挿入を受け付ける挿入部と、
挿入された通帳が有する磁気ストライプの磁気レベルを検出する検出部と、
第１磁気ストライプを有する第１通帳と、前記第１磁気ストライプよりも保磁力の高い第２磁気ストライプを有する第２通帳とを発行する発行部と、
ホストと通信する第１通信部と、
前記検出部で閾値未満の磁気レベルが検出されたとき、前記挿入された通帳に対応する検出回数をインクリメントする要求をホストに送信し、
前記ホストから前記挿入された通帳に対応する検出回数が閾値回数以上である通知を受信すると、前記発行部に前記第２通帳を発行させる制御をする第１制御部と、
を備え、
前記ホストは、
前記検出部で閾値未満の磁気レベルが検出された検出回数を通帳ごとに関連付けて記憶する記憶部と、
前記自動取引装置と通信をする第２通信部と、
前記自動取引装置から前記挿入された通帳に対応する検出回数をインクリメントする要求を受信すると、前記記憶部に記憶された前記挿入された通帳に関連付けられた検出回数をインクリメントし、
前記記憶部に記憶された前記挿入された通帳に関連付けられた検出回数が閾値回数以上となると、前記自動取引装置に前記挿入された通帳に対応する検出回数が閾値回数以上である通知を送信する制御をする第２制御部と
を備えることを特徴とする自動取引システム。
【発明の詳細な説明】
【技術分野】
【０００１】
本発明は通帳を発行する技術に関する。
【背景技術】
【０００２】
自動取引装置で使用される通帳には、低保磁力の磁気ストライプを貼り付けたＬｏ−Ｃｏ（Ｌｏｗ  Ｃｏｅｒｃｉｖｉｔｙ）通帳と、高保磁力の磁気ストライプを貼り付けたＨｉ−Ｃｏ（Ｈｉｇｈ  Ｃｏｅｒｃｉｖｉｔｙ）通帳とがある。以下の説明では、Ｌｏ−Ｃｏ通帳のことを低保磁力通帳とも言う。また、Ｈｉ−Ｃｏ通帳のことを高保磁力通帳とも言う。
【０００３】
低保磁力通帳は、携帯電話、パソコンおよび鞄の留め金などから発生する磁界の影響を受け、磁気ストライプの磁気不良が発生し、記憶された情報の読み取りができなくなることがある。そこで、近年では、自動取引装置で発行する通帳を、磁界の影響を受けにくい高保磁力通帳にする金融機関が増えてきている。
【０００４】
関連する技術として、自動取引装置は、通帳を使用した取引中に、ＭＳデータのリードエラーが発生したとき、顧客が挿入したカードから読み出したカード情報および顧客が入力した暗証番号を取得する。そして、自動取引装置は、取得した情報をセンタへ送り、通帳の磁気ストライプデータの復元を要求する。センタは、自動取引装置からセンタへ送信したカード情報および暗証番号に基づいて、要求の妥当性を判断した結果の許可情報を自動取引装置に通知する。自動取引装置は、センタから通知された許可情報に基づいて、通帳の復元のための磁気ストライプへの情報の書き込みを行うという技術が知られている。
【０００５】
関連する他の技術として、自動取引装置は、通帳取引時、受け付けた通帳の磁気ストライプの読み取り不良が発生したとき、通帳磁気ストライプ情報をセンタより受信し、通帳磁気ストライプ情報により取引を続行する。そして、自動取引装置は、通帳磁気ストライプ情報を磁気ストライプへ書き込んで、磁気ストライプを復旧させるという技術が知られている。
【０００６】
関連する他の技術として、自動取引装置は、通帳を使用した取引中に、ＭＳデータのリードエラーが発生したとき、通帳情報および取引印字情報と、カード情報と、暗証番号とを取得する。そして、自動取引装置は、取得した情報をセンタのホストコンピュータへ送り、通帳のＭＳデータの復元又は通帳の再発行を要求する。センタは、自動取引装置からの要求に対し、ホストコンピュータから、要求の妥当性を判断した結果の許可情報を自動取引装置に通知する。自動取引装置は、センタから許可情報が通知されたとき、許可情報に基づいて通帳のＭＳデータの復元、または通帳の再発行を行うという技術が知られている。
【０００７】
関連する他の技術として、自動取引装置において、リードエラー連続回数、通算リードリトライ回数、連続リードリトライ発生回数をカウントすることにより、磁気カードの寿命の予告、磁気カード制御機構の異常または警告を行なうという技術が知られている（例えば、特許文献１〜４）。
【先行技術文献】
【特許文献】
【０００８】
【特許文献１】特開２００７−０５８８７７号公報
【特許文献２】特開２００２−０９２６９６号公報
【特許文献３】特開２０００−１８７７５６号公報
【特許文献４】特開平８−１６１４４８号公報
【発明の概要】
【発明が解決しようとする課題】
【０００９】
前述した自動取引技術では、例えば、各ユーザに同じ種類の通帳を発行するので、ユーザの使用状況に応じた通帳を発行することができない。
【００１０】
本発明は、一側面として、ユーザの使用状況に応じた通帳を発行する技術を提供する。
【課題を解決するための手段】
【００１１】
本明細書で開示する自動取引装置のひとつに、挿入部と、検出部と、発行部と、制御部とを備える自動取引装置がある。挿入部は、通帳の挿入を受け付ける。検出部は、挿入された通帳が有する磁気ストライプの磁気レベルを検出する。発行部は、第１磁気ストライプを有する第１通帳と、第１磁気ストライプよりも保磁力の高い第２磁気ストライプを有する第２通帳とを発行する。制御部は、検出部で閾値未満の磁気レベルが検出されたとき、発行部に第２通帳を発行させる制御をする。
【発明の効果】
【００１２】
１実施態様によれば、ユーザの使用状況に応じた通帳を発行することができる。
【図面の簡単な説明】
【００１３】
【図１】自動取引システムの一実施例を示す図である。
【図２】実施形態１における自動取引装置の一実施例を示す機能ブロック図である。
【図３】通帳の一例を示す図である。
【図４】実施形態１における磁気データの一例を示す図である。
【図５】実施形態１におけるホストコンピュータの一実施例を示す機能ブロック図である。
【図６】実施形態１における元帳情報の一例を示す図である。
【図７】実施形態１における自動取引装置の通帳を発行する処理を示すフローチャート（その１）である。
【図８】実施形態１における自動取引装置の通帳を発行する処理を示すフローチャート（その２）である。
【図９】実施形態１における自動取引装置の通帳を発行する処理を示すフローチャート（その３）である。
【図１０】実施形態１における自動取引装置の通帳を発行する処理を示すフローチャート（その４）である。
【図１１】実施形態１における自動取引装置の通帳を発行する処理を示すフローチャート（その５）である。
【図１２】実施形態１におけるホストの応答処理を示すフローチャートである。
【図１３】取引画面の一例を示す図（その１）である。
【図１４】取引画面の一例を示す図（その２）である。
【図１５】取引画面の一例を示す図（その３）である。
【図１６】取引画面の一例を示す図（その４）である。
【図１７】取引画面の一例を示す図（その５）である。
【図１８】取引画面の一例を示す図（その６）である。
【図１９】取引画面の一例を示す図（その７）である。
【図２０】実施形態２における磁気データの一例を示す図である。
【図２１】実施形態２における自動取引装置の通帳を発行する処理を示すフローチャート（その１）である。
【図２２】実施形態２における自動取引装置の通帳を発行する処理を示すフローチャート（その２）である。
【図２３】実施形態３におけるホストコンピュータの一実施例を示す機能ブロック図である。
【図２４】実施形態３における元帳情報の一例を示す図である。
【図２５】実施形態３における自動取引装置の通帳を発行する処理を示すフローチャート（その１）である。
【図２６】実施形態３における自動取引装置の通帳を発行する処理を示すフローチャート（その２）である。
【図２７】実施形態３におけるホストの応答処理を示すフローチャート（その１）である。
【図２８】実施形態３におけるホストの応答処理を示すフローチャート（その２）である。
【図２９】コンピュータ装置の一実施例を示すブロック図である。
【発明を実施するための形態】
【００１４】
［実施形態１］
実施形態１の自動取引システムについて説明する。
実施形態１は、自動取引装置に挿入された通帳が有する磁気ストライプの磁気レベルが閾値未満のとき、ユーザに高保磁力通帳を発行する。これにより、実施形態１の自動取引装置は、磁気ストライプの磁気不良を起こしやすいユーザに、磁界の影響を受けにくい高保磁力通帳を発行することができる。なお、高保磁力通帳は、低保磁力通帳と比較して磁界の影響を受けにくいので、磁気ストライプの磁気不良（磁気データの破壊）を起こしにくいという特徴がある。
【００１５】
図１は、自動取引システムの一実施例を示す図である。
図１を参照して、自動取引システム１００について説明する。
【００１６】
自動取引システム１００は、自動取引装置１０と、ホストコンピュータ２０（ホスト）とを備える。自動取引装置１０と、ホストコンピュータ２０とは、例えば、後述するコンピュータ装置７００である。
【００１７】
自動取引システム１００では、図１に示すように、１以上の自動取引装置１０とホストコンピュータ２０とが通信可能に接続されている。図１では、一例として、ホストコンピュータ２０が自動取引装置１０ａ、自動取引装置１０ｂ、および自動取引装置１０ｃの３台の自動取引装置１０と接続されている。
【００１８】
そして、ホストコンピュータ２０は、各自動取引装置１０と情報をやりとりすることにより各自動取引装置１０を管理する。
【００１９】
図２は、実施形態１における自動取引装置の一実施例を示す機能ブロック図である。
図２を参照して、自動取引装置１０について説明する。
【００２０】
自動取引装置１０は、発行部１１と、挿入部１２と、読書部１３と、検出部１４と、制御部１５と、通信部１６と、表示部１７とを備える。
【００２１】
発行部１１は、低保磁力の磁気ストライプを有する低保磁力通帳と、高保磁力の磁気ストライプを有する高保磁力通帳とを格納する。また、発行部１１は、制御部１５からの要求に応じて、低保磁力通帳と高保磁力通帳とを選択的に発行する。そして、発行部１１は、通帳を発行すると、挿入部１２より発行した通帳を排出させる。
【００２２】
挿入部１２は、ユーザからの通帳の挿入を受け付ける。そして、挿入部１２は、通帳が挿入されると、挿入された通帳を読書部１３に移動させる。また、挿入部１２は、発行部１１で発行された各種通帳を排出する。挿入部１２は、例えば、通帳の有無を判定するセンサを有し、一部を外部に突き出すようにして排出した通帳がユーザに抜き取られたか否かを判定してもよい。そして、挿入部１２は、例えば、ユーザに通帳が抜き取られたとき、制御部１５に通帳が抜き取られたことを通知してもよい。
【００２３】
読書部１３は、挿入された通帳が有する磁気ストライプに記憶された磁気データを読み取る。また、読書部１３は、挿入された通帳が有する磁気ストライプに磁気データを書き込む。読書部１３は、例えば、磁気ヘッドでもよい。
【００２４】
図３、図４を参照して、通帳が有する磁気ストライプと、磁気ストライプに記憶される磁気データの一例を説明する。
【００２５】
図３は、通帳の一例を示す図である。
図３に示すように、通帳３０には、磁気ストライプ３１が貼り付けられている。読書部１３は、磁気ストライプ３１に記憶された磁気データ２００を読み取る。
【００２６】
図４は、実施形態１における磁気データの一例を示す図である。
図４に示すように、磁気データ２００には、例えば、店番と口座番号とを含む口座情報と、科目と、高保磁力情報とが格納されている。高保磁力情報とは、通帳３０が高保磁力通帳であるか否かを示す情報である。そして、通帳３０が有する磁気ストライプ３１に格納された高保磁力情報がＯＦＦのとき、通帳３０が低保磁力通帳であることを示してもよい。また、通帳３０が有する磁気ストライプ３１に格納された高保磁力情報がＯＮのとき、通帳３０が高保磁力通帳であることを示してもよい。
【００２７】
図２を参照して説明する。
検出部１４は、挿入された通帳が有する磁気ストライプの磁気レベルを検出する。検出部１４は、例えば、電圧センサであり、磁気ストライプに格納された磁気データ２００を読み出したときの磁気ヘッドの出力電圧を測定してもよい。そして、検出部１４は、例えば、設定された磁気ヘッドの特性を用いて、測定した出力電圧から磁気ストライプの磁気レベルを判定してもよい。このとき、検出部１４は、例えば、測定した出力電圧の振幅の平均値を用いて磁気レベルを判定してもよい。なお、検出部１４の構成は、上記の構成に限定されるものではなく、所定の基準にしたがった磁気レベルを検出できるものであれば、他の構成を用いてもよい。
【００２８】
制御部１５は、検出部１４で閾値未満の磁気レベルが検出されたとき、発行部１１に高保磁力通帳を発行させる制御をする。また、制御部１５は、通帳繰越処理において、検出部１４で閾値以上の磁気レベルが検出されたとき、発行部１１に低保磁力通帳を発行させる制御をする。挿入された通帳を使用した取引（通帳繰越以外の処理）とは、例えば、通帳記帳処理、入出金処理などがある。
【００２９】
ここで、閾値とは、例えば、検出部１４が電圧センサであるとき、電圧値として設定されてもよい。また、閾値は、挿入された通帳が有する磁気ストライプの磁気レベルが閾値未満であるとき、挿入された通帳を使用するユーザが磁気データ２００を破壊しやすい（磁気データ２００の磁気不良を起こしやすい）と判定するために設定される。なお、閾値は、上記に限定されるものではなく、ユーザが磁気データ２００を破壊しやすいと判定できるものであれば、他の設定を用いてもよい。
【００３０】
また、制御部１５は、発行部１１に高保磁力通帳を発行させるとき、ホストへ高保磁力通帳の発行許可要求を送信する。高保磁力通帳の発行許可要求には、例えば、読書部１３で読み取られた磁気データ２００が有する口座情報を含んでもよい。
【００３１】
通信部１６は、制御部１５から入力された通信情報をホストコンピュータ２０に送信する。また、通信部１６は、ホストコンピュータ２０から通信情報を受信し、受信した通信情報を制御部１５に入力する。
【００３２】
表示部１７は、制御部１５から出力される情報を表示する。表示部１７は、例えば、通帳を使用した取引の情報を表示する。また、表示部１７は、例えば、各種取引の選択画面を表示し、ユーザからの入力を受け付けてもよい。なお、表示部１７は、例えば、タッチパネルであり、ユーザからの入力を直接受け付けてもよい。なお、表示部１７は、例えば、タッチパネルでなくてもよい。この場合には、ユーザは、表示部１７に表示された情報を参照し、図示しない操作キーで情報を入力してもよい。
【００３３】
図５は、実施形態１におけるホストコンピュータの一実施例を示す機能ブロック図である。
【００３４】
図５を参照して、ホストコンピュータ２０について説明する。
ホストコンピュータ２０は、制御部２１と、通信部２２と、記憶部２３とを備える。
【００３５】
制御部２１は、自動取引装置１０から、高保磁力通帳の発行許可要求を受信すると、発行許可要求に含まれる挿入された通帳の口座情報を用いて対応する元帳情報のレコード（以下、元帳データとも言う。）を検索する。また、制御部２１は、挿入された通帳に対応する元帳データに、高保磁力通帳を用いていることを示す情報を格納する。そして、制御部２１は、高保磁力通帳の発行許可通知を、通信部２２を介して自動取引装置１０に送信する。
【００３６】
通信部２２は、制御部２１から入力された通信情報を自動取引装置１０に送信する。また、通信部２２は、自動取引装置１０から通信情報を受信し、受信した通信情報を制御部２１に入力する。
【００３７】
記憶部２３は、例えば、元帳情報３００を記憶する。そして、元帳情報３００には、例えば、図６に示すように、通帳の口座情報と、暗証番号と、残高と、科目と、高保磁力情報とが関連付けられている元帳データが１つ以上格納されている。なお、図６の元帳情報３００には、口座ごとに１つの残高のみ記憶されているが、口座ごとに複数の取引における残高を、取引日時や入出金処理の種別などと関連付けて記憶してもよい。
【００３８】
図７〜図１１は、実施形態１における自動取引装置の通帳を発行する処理を示すフローチャートである。
【００３９】
図７〜図１１を参照して、実施形態１における自動取引装置の通帳を発行する処理を説明する。以下の説明では、一例として、通帳の記帳処理（通帳繰越以外の処理）中に、通帳の発行処理を受け付ける例を説明する。また、表示部１７は、タッチパネルであるものとして説明する。
【００４０】
図７を参照して説明する。
制御部１５は、例えば、ユーザが近づくと、図１３に示す画面４０１を表示部１７に表示して、ユーザに対して取引の選択を促す。なお、自動取引装置１０は、図示しないセンサを備え、ユーザが表示部１７に近づいたことを検知してもよい。
【００４１】
制御部１５は、ユーザが選択した取引が通帳記帳以外の場合は（Ｓ１０１にてＮｏ）、各種選択された処理を実行する（Ｓ１２５）。そして、制御部１５は、処理を終了する。
【００４２】
一方、制御部１５は、ユーザが通帳記帳を選択すると（Ｓ１０１にてＹｅｓ）、図１４に示す画面４０２を表示部１７に表示し、ユーザに対して通帳の挿入を要求する。
【００４３】
そして、制御部１５は、ユーザが通帳を挿入するまで待機する（Ｓ１０２にてＮｏ）。
挿入部１２は、ユーザから通帳が挿入されると（Ｓ１０２にてＹｅｓ）、挿入された通帳を読書部１３に移動させる。このとき、自動取引装置１０は、ユーザからの暗証番号の入力を受け付けてもよい。
【００４４】
読書部１３は、挿入された通帳の磁気ストライプから磁気データ２００を読み取る処理を実行する（Ｓ１０３）。制御部１５は、読書部１３で磁気データ２００が読み取れないとき（Ｓ１０３にてＮｏ）、Ｓ１０５の処理を実行する。読書部１３で磁気データ２００が読み取れないときとは、例えば、磁気データ２００が破壊されたときに発生する。
【００４５】
図８を参照して説明する。
読書部１３は、挿入された通帳を挿入部１２に移動させる。そして、挿入部１２は、挿入された通帳の一部を外に排出する（Ｓ１０５）。なお、制御部１５は、Ｓ１０３、Ｓ１０４に続いてＳ１０５を実行したとき、図１５に示す画面４０３を表示部１７に表示してもよい。これにより、制御部１５は、ユーザを窓口に誘導する。また、制御部１５は、Ｓ１２６、Ｓ１２７に続いてＳ１０５を実行した場合、図１７に示す画面４０５を表示部１７に表示する。これにより、制御部１５は、ユーザに対して通帳の抜き取りを促す。さらに、制御部１５は、Ｓ１２０に続いてＳ１０５を実行した場合、図１９に示す画面４０７を表示部１７に表示する。これにより、制御部１５は、ユーザに対して通帳の抜き取りを促す。
【００４６】
そして、制御部１５は、ユーザに通帳が抜き取られるまで待機する（Ｓ１０６にてＮｏ）。挿入部１２には、例えば、図示しない光学センサが備えられてもよい。そして、制御部１５は、光学センサからの情報を取得することにより、通帳が挿入部１２の挿入口にあるか否かを監視してもよい。これにより、制御部１５は、通帳が抜き取られたか否かを判定してもよい。
【００４７】
制御部１５は、通帳が挿入口から抜きとられると（Ｓ１０６にてＹｅｓ）、処理を終了する。
【００４８】
図７を参照して説明する。
制御部１５は、読書部１３で磁気データ２００が読み取れたとき（Ｓ１０３にてＹｅｓ）、挿入された通帳に記帳ができるか否かを判定する（Ｓ１０４）。挿入された通帳に記帳ができない一例としては、以下にあげる例がある。磁気データ２００には、例えば、図示しない、次に記帳するページと行とを示す記帳情報が格納されている。そして、制御部１５は、挿入された通帳の開かれたページが記帳情報に示されたページに一致しているか否かを判定する。制御部１５は、挿入された通帳の開かれたページと、記帳情報に示されたページとが一致しないとき、記帳ができないと判定してもよい。ただし、制御部１５は、上記の構成に限定されるものではなく、所定の基準にしたがって記帳可否を判定できるものであれば、他の判定基準を用いてもよい。
【００４９】
制御部１５は、挿入された通帳に記帳ができないと判定したとき（Ｓ１０４にてＮｏ）、図８に示すＳ１０５の処理を実行し、ユーザに通帳を返却する。
【００５０】
図９を参照して説明する。
制御部１５は、挿入された通帳に記帳ができると判定したとき（Ｓ１０４にてＹｅｓ）、ホストコンピュータ２０に挿入された通帳の記帳許可要求を送信する（Ｓ１０７）。通帳の記帳許可要求には、磁気ストライプから読み取った口座情報が含まれてもよい。
【００５１】
そして、制御部１５は、ホストコンピュータ２０から記帳許可通知を受信するまで待機する（Ｓ１０８にてＮｏ）。このとき、制御部１５は、図１６に示す画面４０４を表示部１７に表示して、ユーザに処理中であることを通知する。ホストコンピュータ２０は、例えば、自動取引装置１０から記帳許可要求を受信すると、元帳情報３００を検索して、記帳許可要求に含まれる口座情報に対応する元帳データを取得する。そして、ホストコンピュータ２０は、取得した元帳データを含む記帳許可通知を自動取引装置１０に送信する。
【００５２】
制御部１５は、ホストコンピュータ２０から、挿入された通帳の記帳許可通知を受信すると（Ｓ１０８にてＹｅｓ）、記帳許可通知に含まれる元帳データに格納された残高を挿入された通帳に記帳する（Ｓ１０９）。なお、記帳許可通知に含まれるデータには、例えば、複数の取引における各残高と、各取引日時と、各入出金処理の種別とを関連付けた情報を格納してもよい。この場合、制御部１５は、データに格納された各残高と、各取引日時と、各入手金処理の種別とを関連付けて、挿入された通帳に記帳してもよい。
【００５３】
そして、制御部１５は、挿入された通帳が有する磁気ストライプの磁気レベルを検出部１４に検出させる制御をする。
【００５４】
制御部１５は、検出部１４で検出された、挿入された通帳の磁気ストライプの磁気レベルが閾値未満であるか否かを判定する（Ｓ１１０）。
【００５５】
制御部１５は、検出部１４で検出された、挿入された通帳の磁気ストライプの磁気レベルが閾値以上であるとき（Ｓ１１０にてＮｏ）、挿入された通帳が有する磁気ストライプに格納された磁気データ２００を更新する（Ｓ１２６）。そして、制御部１５は、Ｓ１０５の処理を実行する。すなわち、制御部１５は、ユーザに挿入された通帳を返却し、挿入された通帳を引き続き利用させる。なお、磁気データ２００を更新する処理は、例えば、Ｓ１０９の処理を行った結果、次に残高などを記帳するページと行とを示す記帳情報を、磁気データ２００に格納する処理を含んでもよい。
【００５６】
制御部１５は、検出部１４で検出された、挿入された通帳の磁気ストライプの磁気レベルが閾値未満であるとき（Ｓ１１０にてＹｅｓ）、通帳の繰越が可能か否かを判定する（Ｓ１１１）。通帳の繰越ができないときとは、例えば、発行部１１に高保磁力通帳の在庫がないときなどがある。
【００５７】
制御部１５は、通帳の繰越ができないとき（Ｓ１１１にてＮｏ）、挿入された通帳が有する磁気ストライプに格納された磁気データ２００を更新する（Ｓ１２６）。そして、制御部１５は、Ｓ１０５の処理を実行する。すなわち、制御部１５は、ユーザに挿入された通帳を返却し、挿入された通帳を引き続き利用させる。
【００５８】
制御部１５は、通帳の繰越が可能であるとき（Ｓ１１１にてＹｅｓ）、挿入された通帳が有する磁気ストライプに格納された磁気データ２００を更新する（Ｓ１１２）。そして、Ｓ１１３の処理を実行する。
【００５９】
図１０を参照して説明する。
ホストコンピュータ２０に高保磁力通帳の発行許可要求を送信する（Ｓ１１３）。
【００６０】
そして、制御部１５は、ホストコンピュータ２０から高保磁力通帳の発行許可通知を受信するまで待機する（Ｓ１１４にてＮｏ）。このとき、制御部１５は、図１６に示す画面４０４を表示部１７に表示して、ユーザに処理中であることを通知する。
【００６１】
制御部１５は、ホストコンピュータ２０から高保磁力通帳の発行許可通知を受信すると（Ｓ１１４にてＹｅｓ）、挿入された通帳の磁気ストライプの磁気データ２００を破壊する（Ｓ１１５）。磁気データ２００を破壊するとは、例えば、読書部１３により、磁気ストライプに格納されるビット列をすべて０に更新するなどして、磁気データ２００が何も示さない状態にすることである。
【００６２】
そして、制御部１５は、挿入された通帳を退避する（Ｓ１１６）。挿入された通帳を退避するとは、例えば、図示しない退避部に挿入された通帳を一時的に保管することである。なお、退避部に保管された通帳は、旧通帳として扱われ、後述するＳ１２０に続くＳ１０５の処理において挿入部１２から排出される。
【００６３】
制御部１５は、発行部１１に高保磁力通帳を発行させて、発行した高保磁力通帳を読書部１３に移動させる制御をする（Ｓ１１７）。
【００６４】
そして、制御部１５は、読書部１３を制御して、発行した高保磁力通帳の有する磁気ストライプに、挿入された通帳の磁気ストライプから読み取った磁気データ２００を書き込みさせる（Ｓ１１８）。このとき、制御部１５は、読書部１３を制御して、磁気データ２００に格納する記帳情報として、発行した高保磁力通帳の最初のページの最初の行を示す情報を書き込ませてもよい。なお、ホストコンピュータ２０から受信した発行許可通知に、挿入された通帳に対応するデータが含まれる場合、制御部１５は、読書部１３を制御して、発行した高保磁力通帳の有する磁気ストライプに、データに格納された情報を書き込ませてもよい。また、ホストコンピュータ２０から受信した発行許可通知に、挿入された通帳に対応する元帳データが含まれる場合、制御部１５は、読書部１３を制御して、元帳データに格納された情報を高保磁力通帳に記帳させてもよい。
【００６５】
図１１を参照して説明する。
読書部１３は、発行した高保磁力通帳を挿入部１２に移動させる（Ｓ１１９）。
【００６６】
そして、挿入部１２は、発行した通帳の一部を外に排出する。また、制御部１５は、図１８に示す画面４０６を表示部１７に表示して、発行した高保磁力通帳の抜き取りを促すとともに、つづいて挿入した通帳が排出されることをユーザに通知する。
【００６７】
制御部１５は、ユーザによる通帳の抜き取りが行われるまで待機する（Ｓ１２０にてＮｏ）。
【００６８】
制御部１５は、通帳が挿入口から抜きとられると（Ｓ１２０にてＹｅｓ）、Ｓ１０５の処理を実行する。
【００６９】
図１２は、実施形態１におけるホストの要求処理を示すフローチャートである。
図１２を参照して、実施形態１におけるホストの応答処理を説明する。
【００７０】
ホストコンピュータ２０の制御部２１は、自動取引装置１０から送信される高保磁力通帳の発行許可要求を受信するまで待機する（Ｓ１２１にてＮｏ）。
【００７１】
制御部２１は、高保磁力通帳の発行許可要求を受信すると（Ｓ１２１にてＹｅｓ）、発行許可要求に含まれる口座情報を用いて、自動取引装置へ挿入された通帳に対応する元帳データを検索する（Ｓ１２２）。
【００７２】
制御部２１は、Ｓ１２２で検索された元帳データに格納される高保磁力情報をＯＮにする（Ｓ１２３）。
【００７３】
そして、制御部２１は、通信部２２を介して、自動取引装置１０へ高保磁力通帳の発行許可通知を送信する（Ｓ１２４）。また、ホストコンピュータ２０から送信される発行許可通知は、Ｓ１２２で検索された、挿入された通帳に対応する元帳データを含んでもよい。この場合、自動取引装置１０は、ホストコンピュータ２０から受信した発行許可通知に含まれている元帳データをに格納された情報を、発行した高保磁力通帳に記帳してもよい。
【００７４】
制御部１５は、図９のＳ１１０においてＮｏのとき（挿入された通帳の磁気ストライプの磁気レベルが閾値以上であるとき）、挿入された通帳を使用するユーザが磁気データ２００を破壊しにくいと判定してもよい。このとき、制御部１５は、通帳繰越処理が実行されている場合、ユーザに対して低保磁力通帳を発行する制御をしてもよい。通帳繰越処理は、通帳の最終ページの最終行を印字したときや、自動取引装置１０が通帳繰越機であるときに実行される処理である。
【００７５】
［実施形態２］
実施形態２の自動取引システムについて説明する。
実施形態２は、通帳を用いた取引において、自動取引装置１０に挿入された通帳の磁気レベルが閾値未満の場合であった検出回数をカウントし、通帳の磁気ストライプに格納する。そして、自動取引装置１０は、通帳の磁気ストライプに格納された検出回数が閾値回数以上となると、ユーザに高保磁力通帳を発行する。これにより、実施形態２の自動取引装置１０は、実施形態１よりも精度よく磁気ストライプの磁気不良を起こしやすいユーザを判定し、そのユーザに磁界の影響を受けにくい高保磁力通帳を発行することができる。
【００７６】
図２０は、実施形態２における磁気データの一例を示す図である。
磁気データ５００には、例えば、図２０に示すように、店番と口座番号とを含む口座情報と、科目と、高保磁力情報と、磁気レベルカウンタが格納されている。磁気レベルカウンタとは、自動取引装置１０に通帳が挿入されたとき、検出部１４で閾値未満の磁気レベルが検出された検出回数を示す。
【００７７】
図２を参照して、実施形態１にはない実施形態２の自動取引装置の機能について説明する。なお、実施形態１と実施形態２の自動取引装置１０の構成は、同じである。また、実施形態１と実施形態２のホストコンピュータ２０の構成は、同じである。
【００７８】
制御部１５は、検出部１４で閾値未満の磁気レベルが検出されたとき、挿入された通帳が有する磁気ストライプに記憶された磁気データ５００に格納された検出回数をインクリメントする。そして、制御部１５は、読書部１３で読み取られた検出回数が閾値回数以上のとき、発行部１１に高保磁力通帳を発行させる制御をする。
【００７９】
閾値回数には、例えば、１回以上の任意の数を設定してもよい。なお、閾値回数は、増加させるほど、磁気ストライプの磁気不良を起こしやすいユーザを精度よく判定できる。ただし、閾値回数は、増加させるほど、磁気ストライプの磁気不良を起こしやすいユーザであると判定するまでの取引回数が増加する。これらの点を考慮して、閾値回数は設定される。
【００８０】
また、制御部１５は、通帳繰越処理において、読書部１３で読み取られた検出回数が閾値回数未満のとき、発行部１１に低保磁力通帳を発行させる制御をする。
【００８１】
図２１、図２２は、実施形態２における自動取引装置の通帳を発行する処理を示すフローチャートである。
【００８２】
図２１、図２２を参照して、実施形態２における自動取引装置の通帳を発行する処理を説明する。図２１、図２２では、実施形態１と同じ処理に同じ符号を付与している。以下の説明では、実施形態１と同じ処理について説明を省略する。
【００８３】
図２１を参照して説明する。
制御部１５は、挿入された通帳の磁気ストライプの磁気レベルが閾値未満であるか否かを判定する（Ｓ１１０）。そして、制御部１５は、挿入された通帳の磁気ストライプの磁気レベルが閾値未満であるとき（Ｓ１１０にてＹｅｓ）、挿入された通帳の磁気ストライプに格納された磁気レベルカウンタをインクリメントする（Ｓ２０１）。
【００８４】
図２２を参照して説明する。
そして、制御部１５は、挿入された通帳の磁気ストライプに格納された磁気レベルカウンタが閾値回数以上となったか否かを判定する（Ｓ２０２）。
【００８５】
制御部１５は、磁気レベルカウンタが閾値回数以上のとき（Ｓ２０２にてＹｅｓ）、Ｓ１１１の処理を実行する。また、制御部１５は、磁気レベルカウンタが閾値回数未満のとき（Ｓ２０２にてＮｏ）、挿入された通帳が有する磁気ストライプに格納された磁気データ２００を更新する（Ｓ１２７）。そして、制御部１５は、Ｓ１０５の処理を実行する。すなわち、制御部１５は、ユーザに挿入された通帳を返却し、挿入された通帳を引き続き利用させる。
【００８６】
制御部１５は、図２２のＳ２０２においてＮｏのとき（磁気レベルカウンタが閾値回数未満のとき）、通帳繰越処理が実行されている場合、発行部１１に低保磁力通帳を発行させる制御をしてもよい。
【００８７】
［実施形態３］
実施形態３の自動取引システムについて説明する。
実施形態３は、通帳を用いた取引において、自動取引装置に挿入された通帳の磁気レベルが閾値未満の場合であった検出回数をカウントし、ホストコンピュータに記憶させる。そして、自動取引装置は、ホストコンピュータ２０に記憶させた検出回数が閾値回数以上となると、ユーザに高保磁力通帳を発行する。これにより、実施形態３の自動取引装置は、実施形態１よりも精度よく磁気ストライプの磁気不良を起こしやすいユーザを判定し、そのユーザに磁界の影響を受けにくい高保磁力通帳を発行することができる。
【００８８】
図２３は、実施形態３におけるホストコンピュータの一実施例を示す機能ブロック図である。
【００８９】
図２３を参照して、実施形態１にはない実施形態３の自動取引装置の機能について説明する。なお、実施形態１と実施形態３の自動取引装置の構成は、同じである。そして、実施形態３のホストコンピュータ３０は、元帳情報３００に代えて、磁気レベルカウンタを格納する元帳情報６００を記憶部２４に記憶している点で、実施形態２のホストコンピュータ２０と相違する。以下の説明では、実施形態３のホストコンピュータ３０について、実施形態１のホストコンピュータ２０と同じ構成には、同じ符号を付与する。そして、実施形態３のホストコンピュータ３０が有する実施形態１のホストコンピュータ２０と異なる機能について説明する。
【００９０】
また、ホストコンピュータ３０は、例えば、後述するコンピュータ装置７００である。なお、図１に示す自動取引システム１００は、ホストコンピュータ２０に代えて、ホストコンピュータ３０を適用しても良い。
【００９１】
制御部１５は、検出部１４で閾値未満の磁気レベルが検出されたとき、元帳情報６００に格納されている、挿入された通帳に対応する検出回数をインクリメントするカウント要求をホストコンピュータ３０に送信する。カウント要求には、読書部１３で読み取った、挿入された通帳の磁気ストライプ（磁気データ２００）に格納されている口座情報を含んでもよい。
【００９２】
また、制御部１５は、元帳情報６００に格納された挿入された通帳に対応する検出回数が閾値回数以上であるとき、ホストコンピュータ３０から送信される高保磁力通帳の発行許可通知を受信すると、発行部１１に高保磁力通帳を発行させる制御をする。
【００９３】
さらに、制御部１５は、通帳繰越処理において、挿入された通帳に対応する検出回数が閾値回数未満であるとき、ホストコンピュータ３０から送信される高保磁力通帳の発行なし通知を受信すると、発行部１１に低保磁力通帳を発行させる制御をする。
【００９４】
図２４は、実施形態３における元帳情報の一例を示す図である。
元帳情報６００には、例えば、図２４に示すように、店番と口座番号とを含む口座情報と、科目と、暗証番号と、残高と、高保磁力情報と、磁気レベルカウンタを含む１以上の元帳データが格納されている。
【００９５】
図２５、図２６は、実施形態３における自動取引装置の通帳を発行する処理を示すフローチャートである。
【００９６】
図２５、図２６を参照して、実施形態３における自動取引装置の通帳を発行する処理を説明する。図２５、図２６では、実施形態１および実施形態２と同じ処理に同じ符号を付与している。以下の説明では、実施形態１および実施形態２と同じ処理について説明を省略する。
【００９７】
図２５を参照して説明する。
制御部１５は、挿入された通帳の磁気ストライプの磁気レベルが閾値未満であるか否かを判定する（Ｓ１１０）。そして、制御部１５は、挿入された通帳の磁気ストライプの磁気レベルが閾値未満であるとき（Ｓ１１０にてＹｅｓ）、ホストコンピュータ３０に磁気レベルカウンタのカウント要求を送信する（Ｓ３０１）。
【００９８】
図２６を参照して説明する。
そして、制御部１５は、元帳情報６００に格納された、挿入された通帳に対応する検出回数が閾値回数以上であるとき、ホストコンピュータ３０から送信される高保磁力通帳の発行許可通知を受信すると（Ｓ３０２にてＹｅｓ）、Ｓ１１１の処理を実行する。
【００９９】
また、制御部１５は、元帳情報６００に格納された、挿入された通帳に対応する検出回数が閾値回数未満であるとき、ホストコンピュータ３０から送信される高保磁力通帳の発行なし通知を受信すると（Ｓ３０２にてＮｏ）、Ｓ１２７の処理を実行する。そして、制御部１５は、Ｓ１０５の処理を実行する。すなわち、制御部１５は、ユーザに挿入された通帳を返却し、挿入された通帳を引き続き利用させる。
【０１００】
制御部１５は、図２６のＳ３０２においてＮｏのとき（磁気レベルカウンタが閾値回数未満のとき）、通帳繰越処理が実行されている場合、発行部１１に低保磁力通帳を発行させる制御をしてもよい。
【０１０１】
図２７、図２８は、実施形態３におけるホストの応答処理を示すフローチャートである。
【０１０２】
図２７、図２８を参照して、実施形態３におけるホストコンピュータ３０の応答処理を説明する。図２３を参照して、実施形態１にはない実施形態３のホストコンピュータ３０の機能について説明する。
【０１０３】
図２７、図２８では、実施形態１と同じ処理に同じ符号を付与している。以下の説明では、実施形態１と同じ処理について説明を省略する。
【０１０４】
図２７を参照して説明する。
制御部２１は、通信部２２により、自動取引装置１０から送信される高保磁力通帳の発行許可要求を受信しないとき（Ｓ１２１にてＮｏ）、磁気レベルカウンタのカウント要求を受信したか否かを判定する（Ｓ３０３）。
【０１０５】
制御部２１は、通信部２２により、磁気レベルカウンタのカウント要求を受信しないとき（Ｓ３０３にてＮｏ）、ホストコンピュータ３０は、応答処理を終了する。
【０１０６】
図２８を参照して説明する。
制御部２１は、通信部２２により、磁気レベルカウンタのカウント要求を受信すると（Ｓ３０３にてＹｅｓ）、受信したカウント要求に含まれる口座情報に対応する元帳データを検索する（Ｓ３０４）。
【０１０７】
制御部２１は、検索された元帳データに格納された磁気レベルカウンタをインクリメントする（Ｓ３０５）。
【０１０８】
そして、制御部２１は、検索された元帳データに格納された磁気レベルカウンタが閾値回数以上であるか否かを判定する（Ｓ３０６）。
【０１０９】
制御部２１は、検索された元帳データに格納された磁気レベルカウンタが閾値回数以上であるとき（Ｓ３０６にてＹｅｓ）、自動取引装置１０に高保磁力通帳の発行許可通知を送信する（Ｓ３０７）。そして、ホストコンピュータ３０は、応答処理を終了する。
【０１１０】
制御部２１は、検索された元帳データに格納された磁気レベルカウンタが閾値回数未満であるとき（Ｓ３０６にてＮｏ）、自動取引装置１０に高保磁力通帳の発行なし通知を送信する（Ｓ３０８）。そして、ホストコンピュータ３０は、応答処理を終了する。
【０１１１】
図２９は、コンピュータ装置の一実施例を示すブロック図である。
図２９を参照して、自動取引装置１０と、ホストコンピュータ２０と、ホストコンピュータ３０との構成を説明する。
【０１１２】
図２９において、コンピュータ装置７００は、制御回路７０１と、記憶装置７０２と、読書装置７０３と、記録媒体７０４と、通信インターフェイス７０５（通信Ｉ／Ｆ）と、入出力インターフェイス７０６（入出力Ｉ／Ｆ）と、表示装置７０７とネットワーク７０８とを備えている。さらに、コンピュータ装置７００は、自動取引装置１０であるとき、挿入口７０９と、発行装置７１０と、検出装置７１１とを備え、各構成要素は、バス７１２により接続されている。
【０１１３】
制御回路７０１は、コンピュータ装置７００全体の制御をする。そして、制御回路７０１は、例えば、ＣＰＵ、マルチコアＣＰＵ、ＦＰＧＡ（Ｆｉｅｌｄ  Ｐｒｏｇｒａｍｍａｂｌｅ  Ｇａｔｅ  Ａｒｒａｙ）およびＰＬＤ（Ｐｒｏｇｒａｍｍａｂｌｅ  Ｌｏｇｉｃ  Ｄｅｖｉｃｅ）などである。制御回路７０１は、例えば、図２において、制御部１５として機能する。また、制御回路７０１は、例えば、図５、図２３において、制御部２１として機能する。なお、ＣＰＵ、ＦＰＧＡ、およびＰＬＤのキャッシュは、例えば、閾値や閾値回数を記憶してもよい。
【０１１４】
記憶装置７０２は、各種データを記憶する。そして、記憶装置７０２は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのメモリや、ＨＤ（Ｈａｒｄ  Ｄｉｓｋ）などで構成される。記憶装置７０２は、例えば、図５において、記憶部２３として機能する。また、記憶装置７０２は、図２３において、記憶部２４として機能する。そして、記憶装置７０２は、例えば、図５に示す元帳情報３００、および図２３に示す元帳情報６００を記憶してもよい。
【０１１５】
また、ＲＯＭは、ブートプログラムなどのプログラムを記憶している。ＲＡＭは、制御回路７０１のワークエリアとして使用される。ＨＤは、ＯＳ、アプリケーションプログラム、ファームウェアなどのプログラム、および各種データを記憶している。
【０１１６】
記憶装置７０２は、例えば、制御回路７０１を、図１に示す制御部１５として機能させる自動取引プログラムを記憶する。また、記憶装置７０２は、例えば、制御回路７０１を、図５、図２３に示す制御部２１として機能させる自動取引プログラムを記憶する。
【０１１７】
自動取引装置１０は、通帳を発行する処理をするとき、記憶装置７０２に記憶された自動取引プログラムをＲＡＭに読み出す。そして、自動取引装置１０は、制御回路７０１で、ＲＡＭに読み出された自動取引プログラムを実行することにより、通帳を発行する処理を実行する。また、ホストコンピュータ２０とホストコンピュータ３０とは、ホストの応答処理をするとき、記憶装置７０２に記憶された自動取引プログラムをＲＡＭに読み出す。そして、ホストコンピュータ２０とホストコンピュータ３０とは、制御回路７０１で、ＲＡＭに読み出された自動取引プログラムを実行することにより、ホストの応答処理を実行する。
【０１１８】
なお、自動取引プログラムは、制御回路７０１が通信インターフェイス７０５を介してアクセス可能であれば、ネットワーク７０８上のサーバが有する記憶装置に記憶されていてもよい。
【０１１９】
読書装置７０３は、制御回路７０１に制御され、着脱可能な記録媒体７０４のデータのリード／ライトを行なう。そして、読書装置７０３は、例えば、ＦＤＤ（Ｆｌｏｐｐｙ  Ｄｉｓｋ  Ｄｒｉｖｅ）、ＣＤＤ（Ｃｏｍｐａｃｔ  Ｄｉｓｃ  Ｄｒｉｖｅ）、ＤＶＤＤ（Ｄｉｇｉｔａｌ  Ｖｅｒｓａｔｉｌｅ  Ｄｉｓｋ  Ｄｒｉｖｅ）、ＢＤＤ（Ｂｌｕ−ｒａｙ（登録商標）  Ｄｉｓｋ  Ｄｒｉｖｅ）およびＵＳＢ（Ｕｎｉｖｅｒｓａｌ  Ｓｅｒｉａｌ  Ｂｕｓ）などである。
【０１２０】
また、読書装置７０３は、制御回路７０１に制御され、挿入された通帳が有する磁気ストライプの格納する情報のリード／ライトを行なう。そして、読書装置７０３は、例えば、磁気ヘッドである。また、読書装置７０３は、例えば、図２において、読書部１３として機能する。
【０１２１】
記録媒体７０４は、各種データを保存する。記録媒体７０４は、例えば、自動取引プログラムを記憶する。また、記録媒体７０４は、例えば、図５に示す、元帳情報３００を記憶してもよい。さらに、記録媒体７０４は、例えば、図２３に示す、元帳情報６００を記憶してもよい。
【０１２２】
そして、記録媒体７０４は、読書装置７０３を介してバス７１２に接続され、制御回路７０１が読書装置７０３を制御することにより、データのリード／ライトが行なわれる。また、記録媒体７０４は、例えば、ＦＤ（Ｆｌｏｐｐｙ  Ｄｉｓｋ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ（登録商標）  Ｄｉｓｋ）、フラッシュメモリおよび磁気ストライプなどである。
【０１２３】
通信インターフェイス７０５は、ネットワーク７０８を介してコンピュータ装置７００と他の装置とを通信可能に接続する。通信インターフェイス７０５は、例えば、図２において、通信部１６として機能する。さらに、通信インターフェイス７０５は、例えば、図５、図２３において、通信部２２として機能する。
【０１２４】
入出力インターフェイス７０６は、例えば、キーボード、マウス、タッチパネル、およびスキャナなどと接続され、接続された装置から各種情報を示す信号が入力されると、バス７１２を介して入力された信号を制御回路７０１に出力する。また、入出力インターフェイス７０６は、制御回路７０１から出力された各種情報を示す信号がバス７１２を介して入力されると、接続された各種装置に入力された信号を出力する。入出力インターフェイス７０６は、例えば、閾値と閾値回数の設定値の入力や、ユーザからの処理要求を受け付けてもよい。
【０１２５】
表示装置７０７は、例えば、入出力インターフェイス７０６に接続され、制御部１５や制御部２１から入力される信号に基づいて、各種情報を表示する。また、表示装置７０７は、例えば、例えばＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、およびＯＥＬＤ（Ｏｒｇａｎｉｃ  Ｅｌｅｃｔｒｏｌｕｍｉｎｅｓｃｅｎｃｅ  Ｄｉｓｐｌａｙ）などである。そして、表示装置７０７は、例えば、図２において、表示部１７として機能する。
【０１２６】
ネットワーク７０８は、例えば、ＬＡＮ、無線通信、またはインターネットなどであり、コンピュータ装置７００と他の装置を通信接続する。
【０１２７】
挿入口７０９は、通帳の挿入を受け付ける。また、挿入口７０９は、通帳を排出する。挿入口７０９は、例えば、図２において、挿入部１２として機能する。
【０１２８】
発行装置７１０は、低保磁力通帳と、高保磁力通帳とを格納し、制御回路７０１の要求に応じて、低保磁力通帳と高保磁力通帳とを発行する。そして、発行装置７１０は、発行した通帳を挿入口７０９に移動させ、挿入口７０９から通帳を排出する。発行装置７１０は、例えば、図２において、発行部１１として機能する。
【０１２９】
検出装置７１１は、読書装置７０３で読み込まれる磁気ストライプの磁気レベルを検出する。検出装置７１１は、例えば、電圧センサや電流センサである。そして、検出装置７１１は、例えば、図２において、検出部１４として機能する。
【０１３０】
以上のように、実施形態の自動取引装置１０は、挿入された通帳が有する磁気ストライプの磁気レベルを検出し、閾値未満の磁気レベルが検出されたとき、ユーザに対して高保磁力通帳を発行する。これにより、実施形態の自動取引装置１０は、磁気データの磁気不良を起こしやすいユーザに高保磁力通帳を発行する。したがって、実施形態の自動取引装置１０は、ユーザの使用状況に応じた通帳を発行することができる。
【０１３１】
実施形態の自動取引装置１０は、閾値未満の磁気レベルが検出された回数を、挿入された通帳の磁気ストライプに記憶する。そして、実施形態の自動取引装置１０は、挿入された通帳の磁気ストライプに記憶された閾値未満の磁気レベルが検出された回数が閾値回数以上になると、ユーザに対して高保磁力通帳を発行する。これにより、実施形態の自動取引装置１０は、一度きりの判定ではなく、複数回の判定により磁気データの磁気不良を起こしやすいユーザを判定する。したがって、実施形態の自動取引装置１０は、精度良く磁気データの磁気不良を起こしやすいユーザを特定し、そのユーザに対して高保磁力通帳を発行することができる。
【０１３２】
実施形態の自動取引装置１０は、閾値未満の磁気レベルが検出された回数を、挿入された通帳ごとに関連付けてホストコンピュータ３０に記憶させる。そして、実施形態の自動取引装置１０は、挿入された通帳に対応する検出回数が閾値回数以上であるとき、ホストコンピュータ３０から送信される高保磁力通帳の発行許可通知を受信すると、ユーザに対して高保磁力通帳を発行する。これにより、実施形態の自動取引装置１０は、ホストコンピュータ３０に、精度良く磁気データの磁気不良を起こしやすいユーザを特定させ、そのユーザに対して高保磁力通帳を発行することができる。
【０１３３】
実施形態の自動取引装置１０は、通帳繰越以外の処理において、閾値以上の磁気レベルが検出されたとき、挿入された通帳を使用した取引を開始する制御をする。これにより、実施形態の自動取引装置１０は、磁気データの磁気不良を起こしにくいユーザに対して、通帳を使用した取引を実行することができる。
【０１３４】
実施形態の自動取引装置１０は、通帳繰越処理において、閾値以上の磁気レベルが検出されたとき、低保磁力通帳を発行する。これにより、実施形態の自動取引装置１０は、磁気データの磁気不良を起こしにくいユーザに対して、低保磁力通帳を発行することができる。したがって、実施形態の自動取引装置１０は、店舗が在庫として低保磁力通帳を抱えている場合において、磁気データの磁気不良を起こしにくいユーザに対して低保磁力通帳を発行し、在庫の低保磁力通帳を活用することができる。また、実施形態の自動取引装置１０は、磁気データの磁気不良を起こしにくいユーザに対して低保磁力通帳を発行するので、低保磁力通帳に比較して作成するコストの高い高保磁力通帳の発行枚数を抑制することができる。
【０１３５】
実施形態の自動取引装置１０は、通帳繰越以外の処理において、挿入された通帳の磁気ストライプに格納されている閾値未満の磁気レベルの検出された回数が閾値回数未満のとき、挿入された通帳を使用した取引を開始する制御をする。これにより、実施形態の自動取引装置１０は、精度良く磁気データの磁気不良を起こしにくいユーザを判定し、そのユーザに対して通帳を使用した取引を実行することができる。
【０１３６】
実施形態の自動取引装置１０は、通帳繰越処理において、挿入された通帳の磁気ストライプに格納されている閾値未満の磁気レベルの検出された回数が閾値回数未満のとき、低保磁力通帳を発行する。これにより、実施形態の自動取引装置１０は、精度良く磁気データの磁気不良を起こしにくいユーザを判定し、そのユーザに対して低保磁力通帳を発行することができる。したがって、実施形態の自動取引装置１０は、店舗が在庫として低保磁力通帳を抱えている場合において、磁気データの磁気不良を起こしにくいユーザに対して低保磁力通帳を発行し、在庫の低保磁力通帳を活用することができる。また、実施形態の自動取引装置１０は、磁気データの磁気不良を起こしにくいユーザに対して低保磁力通帳を発行するので、低保磁力通帳に比較して作成するコストの高い高保磁力通帳の発行枚数を抑制することができる。
【０１３７】
実施形態の自動取引装置１０は、通帳繰越以外の処理において、挿入された通帳に対応する検出回数が閾値回数未満であるとき、ホストから送信される高保磁力通帳の発行なし通知を受信すると、挿入された通帳を使用した取引を開始する制御をする。これにより、実施形態の自動取引装置１０は、ホストコンピュータ３０に精度良く磁気データの磁気不良を起こしにくいユーザを判定させ、そのユーザに対して通帳を使用した取引を実行することができる。
【０１３８】
実施形態の自動取引装置１０は、通帳繰越処理において、挿入された通帳の磁気ストライプに格納されている閾値未満の磁気レベルの検出された回数が閾値回数未満のとき、低保磁力通帳を発行する。これにより、実施形態の自動取引装置１０は、ホストコンピュータ３０に精度良く磁気データの磁気不良を起こしにくいユーザを判定させ、そのユーザに対して低保磁力通帳を発行することができる。したがって、実施形態の自動取引装置１０は、店舗が在庫として低保磁力通帳を抱えている場合において、磁気データの磁気不良を起こしにくいユーザに対して低保磁力通帳を発行し、在庫の低保磁力通帳を活用することができる。また、実施形態の自動取引装置１０は、磁気データの磁気不良を起こしにくいユーザに対して低保磁力通帳を発行するので、低保磁力通帳に比較して作成するコストの高い高保磁力通帳の発行枚数を抑制することができる。
【０１３９】
なお、本実施形態は、以上に述べた実施形態に限定されるものではなく、本実施形態の要旨を逸脱しない範囲内で種々の構成または実施形態を取ることができる。
【符号の説明】
【０１４０】
１０  自動取引装置
１１  発行部
１２  挿入部
１３  読書部
１４  検出部
１５  制御部
１６  通信部
１７  表示部
２０、３０  ホストコンピュータ
２１  制御部
２２  通信部
２３、２４  記憶部
３０  通帳
３１  磁気ストライプ
１００  自動取引システム
２００、５００  磁気データ
３００、６００  元帳情報
７００  コンピュータ装置
７０１  制御回路
７０２  記憶装置
７０３  読書装置
７０４  記録媒体
７０５  通信インターフェイス
７０６  入出力インターフェイス
７０７  表示装置
７０８  ネットワーク
７０９  挿入口
７１０  発行装置
７１１  検出装置
７１２  バス
【図１】
0005972238.tif 000002
【図２】
0005972238.tif 000003
【図３】
0005972238.tif 000004
【図４】
0005972238.tif 000005
【図５】
0005972238.tif 000006
【図６】
0005972238.tif 000007
【図７】
0005972238.tif 000008
【図８】
0005972238.tif 000009
【図９】
0005972238.tif 000010
【図１０】
0005972238.tif 000011
【図１１】
0005972238.tif 000012
【図１２】
0005972238.tif 000013
【図１３】
0005972238.tif 000014
【図１４】
0005972238.tif 000015
【図１５】
0005972238.tif 000016
【図１６】
0005972238.tif 000017
【図１７】
0005972238.tif 000018
【図１８】
0005972238.tif 000019
【図１９】
0005972238.tif 000020
【図２０】
0005972238.tif 000021
【図２１】
0005972238.tif 000022
【図２２】
0005972238.tif 000023
【図２３】
0005972238.tif 000024
【図２４】
0005972238.tif 000025
【図２５】
0005972238.tif 000026
【図２６】
0005972238.tif 000027
【図２７】
0005972238.tif 000028
【図２８】
0005972238.tif 000029
【図２９】
0005972238.tif 000030